【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】  ボールスタッドの端のボールに結合、分離するように構成された改良されたコネクタ集成体であって、前記ボールは所定の直径を有し、前記ボールに隣接するボールスタッドのシャフト部分は、ボールの前記所定の直径よりも小さい横方向の寸法を有し、且つガススプリングの端に結合されるように構成され、前記ガススプリングは長手方向軸を有し、端部コネクタ集成体は、
内部にボール受けソケット空洞を有したコネクタ本体であって、該コネクタ本体は、該コネクタ本体がガススプリングに結合されたときに、前記コネクタ本体の外側において前記ガススプリングから離れた方に面する第１表面を具え、該第１表面に第１開口を有し、該第１開口は、該コネクタ本体に結合すべきボールおよびボールに隣接するボールスタッドのシャフト部分が、ガススプリングの長手方向軸にほぼ平行な経路に沿って選択的にコネクタ本体の外部からソケットの空洞内に入り、そしてソケットの空洞からコネクタ本体の外に出るような形状と寸法を有しているコネクタ本体と、
本体を有したリテーナクリップであって、前記コネクタ本体を結合すべきボールが前記第１開口を通過する第１位置と、前記ボールが前記第１開口を通じてソケット空洞から外に出ることを該リテーナクリップが阻止する第２位置との間で選択的に動くように前記コネクタ本体に結合可能なリテーテクリップとを具えている改良されたコネクタ集成体。
【請求項２】  前記コネクタ本体は、該コネクタ本体の外側に前記第１表面に隣接する第２表面を具え、該第２表面は、コネクタ本体がガススプリングに結合されたときに、ガススプリングの長手方向軸に対して所定の角度に配置され、コネクタ本体は第１スロットを具えており、該第１スロットは、結合されたガススプリングの長手方向の軸線に関して横方向の寸法であって、ボールスタッドのボールに隣接する部分の横方向の寸法よりも大きい横方向寸法を有している請求項１に記載の改良された端部コネクタ集成体。
【請求項３】  前記第１表面の前記第１開口の平面は、コネクタ本体がガススプリングに結合されたときに、ガススプリングの長手方向軸にほぼ垂直である請求項２に記載の改良された端部コネクタ集成体。
【請求項４】  前記第１スロットの平面は、コネクタ本体がガススプリングに結合されたときに、ガススプリングの長手方向軸にほぼ平行である請求項２に記載の改良された端部コネクタ集成体。
【請求項５】  前記第１表面の前記第１開口の平面は、コネクタ本体がガススプリングに結合されたときに、ガススプリングの長手方向軸に垂直であり、かつ、前記第１スロットの平面は、コネクタ本体がガススプリングに結合されたときに、ガススプリングの長手方向軸に平行である請求項２に記載の改良された端部コネクタ集成体。
【請求項６】  ソケット空洞の一部が、前記コネクタ本体に結合、分離されるボールの所定の直径に実質的に等しい直径を有し、前記リテーナクリップは、ボールが前記ソケット空洞内に前記第１開口を通過し、前記リテーナクリップが前記第２位置にあり、かつ、前記ボールが前記ソケット空洞内にあるときに、ボールに隣接して設けられ、ボールを保持するのに役立つ部分を具えている請求項１に記載の改良された端部コネクタ集成体。
【請求項７】  リテーナクリップが回り止め部分を具え、コネクタ本体が第１回り止め部分を具え、リテーナクリップが前記第１位置にあるときに、リテーナクリップの回り止め部分がコネクタ本体の第１回り止め部分と連携して、リテーナクリップを前記第１位置に正常に保持する請求項１に記載の改良された端部コネクタ集成体。
【請求項８】  コネクタ本体が第２回り止め部分を有し、リテーナクリップの回り止め部分がコネクタ本体の前記第２回り止め部分と連携して、リテーナクリップを第２位置に正常に保持する請求項７に記載の改良された端部コネクタ集成体。
【請求項９】  リテーナクリップが、リテーナクリップを前記第１及び第２位置の間で移動させるハンドル部分を具えている請求項１に記載の改良された端部コネクタ集成体。
【請求項１０】  リテーナクリップが第１セクションと第２セクションを具え、前記第１及び第２セクションのそれぞれが第１端と第２端を有し、前記第１及び第２セクションの第１端がヒンジ部分によって結合されて、リテーナクリップがほぼＵ字型断面を有する請求項１に記載の改良された端部コネクタ集成体。
【請求項１１】  リテーナクリップが前記第１セクションの第２端に隣接する回り止め部分を具え、コネクタ本体が第１回り止め部分を具え、リテーナクリップが第１位置にあるときに、リテーナクリップの回り止め部分がコネクタ本体の第１回り止め部分と連携して、リテーナクリップを前記第１位置に正常に保持する請求項１０に記載の改良された端部コネクタ集成体。
【請求項１２】  コネクタ本体が第２回り止め部分を有し、リテーナクリップの回り止め部分がコネクタ本体の第２回り止め部分と連携して、リテーナクリップを前記第２位置に正常に保持する請求項１１に記載の改良された端部コネクタ集成体。
【請求項１３】  ソケット空洞の一部がボールの所定の直径に実質的に等しい直径を有し、リテーナクリップが第２位置にあり、ボールがソケット空洞にあるときに、リテーナクリップの前記第２セクションが、ボールに隣接して位置しソケットの空洞部分に対してボールを保持するのに役立つ部分を具えている請求項１０に記載の改良された端部コネクタ集成体。
【請求項１４】  コネクタ本体が前記第１表面に隣接する第３表面を具え、コネクタ本体が前記第１表面に隣接する第２スロットを具え、該第２スロットが前記第３表面から第２表面に向かって延在し、リテーナクリップが前記第１位置にあるときに、リテーナクリップの前記第２セクションが第２スロットの内に装着されている請求項１０に記載の改良された端部コネクタ集成体。
【請求項１５】  リテーナクリップの前記第１セクションが前記第１表面に隣接して設けられ、リテーナクリップが前記第１位置にあるときに、リテーナクリップの前記ヒンジ部分が、前記第２スロットと前記第１表面との間に前記第３表面に隣接して位置決めされている請求項１４に記載の改良された端部コネクタ集成体。
【請求項１６】  リテーナクリップが第１セクションと第２セクションを具え、前記第１及び第２セクションのそれぞれが第１端と第２端を有し、前記第１及び第２セクションの前記第１端同士はリテーナクリップがほぼＵ字型断面を有するようにヒンジ部分によって結合されている請求項２に記載の改良された端部コネクタ集成体。
【請求項１７】  コネクタ本体が前記第１表面に隣接する第３表面を具え、コネクタ本体が前記第１表面に隣接する第２スロットを具え、前記第２スナットは前記第３表面から前記第２表面の方に延在し、リテーナクリップの前記第２セクションは、リテーナクリップが前記第１位置にあるときに前記第２スロットの中に装着されている請求項１６に記載の改良された端部コネクタ集成体。
【請求項１８】  前記第１表面の前記第１開口の平面が、ガススプリングの長手方向軸にほぼ垂直であり、前記第１スロットの平面がガススプリングの長手方向軸にほぼ平行である請求項１７に記載の改良された端部コネクタ集成体。
【請求項１９】  リテーナクリップが前記第１セクションの第２端に隣接して回り止め部分を具え、コネクタ本体が第１回り止め部分を具え、リテーナクリップが第１位置にあるときに、リテーナクリップの回り止め部分がコネクタ本体の第１回り止め部分と連携して、リテーナクリップを前記第１位置に正常に保持する請求項１８に記載の改良された端部コネクタ集成体。
【請求項２０】  コネクタ本体が第２回り止め部分を有し、リテーナクリップの回り止め部分がコネクタ本体の前記第２回り止め部分と連携して、リテーナクリップを前記第２位置に正常に保持する請求項１９に記載の改良された端部コネクタ集成体。
【請求項２１】  ソケット空洞の一部がボールの所定の直径に実質的に等しい直径を有し、リテーナクリップの前記第２セクションが、リテーナクリップが第２位置にあってボールがソケット空洞内にあるときに、ボールに隣接して位置し、ボールをソケット空洞に対して保持するのに役立つ部分を具えている請求項１０に記載の改良された端部コネクタ集成体。
【請求項２２】  リテーナクリップの前記第１セクションが、リテーナクリップを前記第１及び第２位置の間で動かすのに使用されるハンドル部分を具えている請求項２１に記載の改良された端部コネクタ集成体。
【請求項２３】  ボールスタッドの端のボールに結合、分離するように構成された端部コネクタ集成体と共に使用される改良されたリテーナクリップであって、前記ボールは所定の直径を有し、前記ボールに隣接するボールスタッドのシャフト部分は、ボールの前記所定の直径よりも小さい横方向の寸法を有し、且つガススプリングの端に結合されるように構成され、前記ガススプリングは長手方向軸を有し、保持されたボールと端部コネクタ集成体は、内部にボール受けソケット空洞を有したコネクタ本体であって、該コネクタ本体は、該コネクタ本体がガススプリングに結合されたときに、ガススプリングから離れた方に面する第１表面を具え、該第１表面に第１開口を有し、該第１開口は、ボールとこれに隣接するボールスタッドのシャフト部分が、ガススプリングの長手方向軸にほぼ平行な経路に沿って選択的にコネクタ本体の外部からソケットの空洞内に入り、そしてソケットの空洞からコネクタ本体の外に出るような形状と寸法を有し、この改良されたリテーナクリップは、ボールが前記第１開口を通過できる第１位置と、ボールが前記第１開口を通ってソケット空洞から外に出ることをリテーナクリップが阻止する第２位置との間をリテーナクリップが選択的に動くように、コネクタ本体に接続可能になっている本体を有している改良されたリテーナクリップ。
【請求項２４】  リテーナクリップが回り止め部分を具え、コネクタ本体が第１回り止め部分を具え、リテーナクリップが前記第１位置にあるときに、リテーナクリップの回り止め部分がコネクタ本体の第１回り止め部分と連携して、リテーナクリップを前記第１位置に正常に保持する請求項２３に記載の改良されたリテーナクリップ。
【請求項２５】  コネクタ本体が第２回り止め部分を有し、リテーナクリップの回り止め部分がコネクタ本体の前記第２回り止め部分と連携して、リテーナクリップを第２位置に正常に保持する請求項２４に記載の改良されたリテーナクリップ。
【請求項２６】  リテーナクリップが、リテーナクリップを前記第１及び第２位置の間で移動させるハンドル部分を具えている請求項２３に記載の改良されたリテーナクリップ。
【請求項２７】  リテーナクリップが第１セクションと第２セクションを具え、前記第１及び第２セクションのそれぞれが第１端と第２端を有し、前記第１及び第２セクションの第１端がヒンジ部分によって結合されて、リテーナクリップがほぼＵ字型断面を有する請求項２３に記載の改良されたリテーナクリップ。
【請求項２８】  リテーナクリップが前記第１セクションの第２端に隣接する回り止め部分を具え、コネクタ本体が第１回り止め部分を具え、リテーナクリップが第１位置にあるときに、リテーナクリップの回り止め部分がコネクタ本体の第１回り止め部分と連携して、リテーナクリップを前記第１位置に正常に保持する請求項２７に記載の改良されたリテーナクリップ。